(57)【要約】【課題】意匠性及び触感性を向上する。【解決手段】シフトノブ１６では、リングプレート６０Ｌ、６０Ｒの露出部６０ｃに、センタノブ本体３２側へ張り出された第１鍔部６０ｄが形成されると共に、サイドノブ本体３４Ｌ、３４Ｒ側へ張り出された第２鍔部６０ｅが形成されている。このため、第１鍔部６０ｄ（第２鍔部６０ｅ）によって、段差部８０（８２）の一部が詰められる。これにより、皮革によって構成されたセンタ表皮５０、及びサイド表皮５２Ｌ、５２Ｒによってシフトノブ１６のノブ本体３０を被覆しても、意匠性及び触感性を向上することができる。【選択図】図１
2019077214.tif 000002
【特許請求の範囲】
【請求項１】
ロッドの上端部に固定されたノブ本体と、
皮革によって構成され、前記ノブ本体の外表面を被覆すると共に、端部が前記ノブ本体の内側へ折り曲げられた表皮と、
前記表皮の端部に隣接して設けられ、前記ノブ本体の外側に露出される露出部と、前記露出部に形成され且つ前記表皮の端部側へ張り出されて前記表皮の端部を前記ノブ本体の外側から覆う鍔部と、を含んで構成された取付部材と、
を備えたシフトノブ。
【請求項２】
前記ノブ本体には、前記ノブ本体の外側へ開放され且つ前記取付部材を取付けるための凹部が形成されており、
前記表皮の端部が、前記ノブ本体の内側へ折り曲げられて前記凹部の開口部を被覆している請求項１に記載のシフトノブ。
【請求項３】
前記凹部の開口側から見て、前記鍔部の先端が前記凹部の外側に配置されている請求項２に記載のシフトノブ。
【請求項４】
前記取付部材は、前記ノブ本体を加飾する加飾部材である請求項１〜請求項３の何れか１項に記載のシフトノブ。
【請求項５】
前記ノブ本体は、左右一対のサイドノブ本体と、左右一対の前記サイドノブ本体の間に設けられたセンタノブ本体と、を含んで構成されており、
前記取付部材が、前記サイドノブ本体と前記センタノブ本体との間に配置されている請求項４に記載のシフトノブ。
【請求項６】
前記取付部材が透光性を有する部材で構成されている請求項１〜請求項３の何れか１項に記載のシフトノブ。
【発明の詳細な説明】
【技術分野】
【０００１】
本発明は、シフトノブに関する。
【背景技術】
【０００２】
シフトノブでは、合成皮革や天然皮革等の皮革によって構成された表皮によって、ノブ本体の外表面を被覆するものがある（例えば、下記特許文献１参照）。この特許文献１に記載のシフトノブでは、２分割に構成された表皮によって、ノブ本体が被覆されている。具体的には、表皮の端部が１８０度に折り返され、当該端部同士が突き合わされて配置されている。なお、シフトノブとしては、下記特許文献１の他に、下記特許文献２及び特許文献３に記載されたものがある。
【先行技術文献】
【特許文献】
【０００３】
【特許文献１】特開２００５−３１２７２８号公報
【特許文献２】実用新案登録第３１２４９５６号
【特許文献３】特許第５４６９７０２号
【発明の概要】
【発明が解決しようとする課題】
【０００４】
しかしながら、シフトノブにおいて、皮革により構成された表皮によってノブ本体を被覆する場合には、以下に示す点が懸念される。すなわち、表皮が皮革によって構成されている場合には、折り曲げられた表皮の端部が、湾曲して屈曲される（丸みを帯びて屈曲される）。このため、隣接する表皮の端部の境界部分に、比較的の幅の大きい段差が生じる。これにより、当該段差が、表皮の合わせ部分に沿って延在されるため、シフトノブの意匠性が低下する虞がある。
【０００５】
また、操作者がシフトノブを把持したときに操作者の手が上記段差部に触れるため、操作者に対して違和感を与えて、シフトノブの触感性が低下する可能性がある。
【０００６】
本発明は、上記事実を考慮して、意匠性及び触感性を向上することができるシフトノブを提供することを目的とする。
【課題を解決するための手段】
【０００７】
形態１：本発明の１又はそれ以上の実施形態は、ロッドの上端部に固定されたノブ本体と、皮革によって構成され、前記ノブ本体の外表面を被覆すると共に、端部が前記ノブ本体の内側へ折り曲げられた表皮と、前記表皮の端部に隣接して設けられ、前記ノブ本体の外側に露出される露出部と、前記露出部に形成され且つ前記表皮の端部側へ張り出されて前記表皮の端部を前記ノブ本体の外側から覆う鍔部と、を含んで構成された取付部材と、を備えたシフトノブである。
【０００８】
形態２：本発明の１又はそれ以上の実施形態は、前記ノブ本体には、前記ノブ本体の外側へ開放され且つ前記取付部材を取付けるための凹部が形成されており、前記表皮の端部が、前記ノブ本体の内側へ折り曲げられて前記凹部の開口部を被覆しているシフトノブである。
【０００９】
形態３：本発明の１又はそれ以上の実施形態は、前記凹部の開口側から見て、前記鍔部の先端が前記凹部の外側に配置されているシフトノブである。
【００１０】
形態４：本発明の１又はそれ以上の実施形態は、前記取付部材は、前記ノブ本体を加飾する加飾部材であるシフトノブである。
【００１１】
形態５：本発明の１又はそれ以上の実施形態は、前記ノブ本体は、左右一対のサイドノブ本体と、左右一対の前記サイドノブ本体の間に設けられたセンタノブ本体と、を含んで構成されており、前記取付部材が、前記サイドノブ本体と前記センタノブ本体との間に配置されているシフトノブである。
【００１２】
形態６：本発明の１又はそれ以上の実施形態は、前記取付部材が透光性を有する部材で構成されているシフトノブである。
【発明の効果】
【００１３】
本発明の１又はそれ以上の実施形態によれば、意匠性及び触感性を向上することができる。
【図面の簡単な説明】
【００１４】
【図１】図１は、本実施の形態に係るシフトノブのリングプレートにおける露出部周辺を示す断面図（図６のＡ部拡大図）である。
【図２】図２は、本実施の形態に係るシフトノブが適用されたシフトレバー装置を示す左斜め前方から見た斜視図である。
【図３】図３は、図２に示されるシフトノブのノブ本体を示す左斜め後方から見た斜視図である。
【図４】図４は、図２に示されるシフトノブの一部を分解した状態を示す右斜め後方から見た分解斜視図である。
【図５】図５は、図２に示されるシフトノブの一部を分解した状態を示す左斜め前方から見た分解斜視図である。
【図６】図６は、図２に示されるシフトノブを示す後側から見た断面図（図２の６−６線断面図）である。
【図７】図７は、比較例のシフトノブのリングプレートにおける露出部周辺を示す図１に対応する断面図である。
【発明を実施するための形態】
【００１５】
以下、図面を用いて、本実施の形態に係るシフトノブ１６について説明する。このシフトノブ１６は、車両（自動車）のシフト位置を変更するためのシフトレバー装置１０に適用されている。以下、始めにシフトレバー装置１０の全体構成について説明し、次いで、シフトノブ１６について説明する。なお、図面において、適宜示される矢印ＵＰ、矢印ＦＲ、矢印ＲＨは、それぞれシフトレバー装置１０の上側、前側、右側（幅方向一方側）を示している。また、以下の説明において、上下、前後、左右の方向を用いて説明するときには、特に断りのない限り、シフトレバー装置１０の上下、前後、左右として説明する。
【００１６】
（シフトレバー装置の全体構成）
図２に示されるように、シフトレバー装置１０は、操作者により操作されるシフトレバー１２を有している。シフトレバー１２は、上下方向に延在されたロッド１４と、ロッド１４の上端部に固定されたシフトノブ１６と、を含んで構成されている。ロッド１４の下部は、車両のセンタコンソール等に設置されたハウジング２０の内部に配置されており、ロッド１４の上下方向中間部が、左右方向及び前後方向を軸方向としてハウジング２０に回動可能に連結されている。これにより、シフトレバー１２が、前後方向及び左右方向に操作可能に構成されている。
【００１７】
また、シフトノブ１６とハウジング２０との間には、可撓性を有する合成皮革や天然皮革等の皮革によって構成されたブーツ２２が設けられている。このブーツ２２は、略半円シート状に形成されており、ブーツ２２の外周部が、図示しない支持部材によって支持されている。また、ブーツ２２には、ロッド１４が挿通される挿通部（図示省略）が形成されており、挿通部の周囲が、シフトノブ１６のキャップ７０及びホルダ（図示省略）によって挟持されている。これにより、シフトレバー１２の操作を許容しつつ、ブーツ２２によってロッド１４が視認不能になっている。
【００１８】
なお、ブーツ２２の左側には、略半円形状のカバーパネル２４が隣接して設けられており、ブーツ２２及びカバーパネル２４の外周部が、リングカバー２６によって覆われている。
【００１９】
（シフトノブについて）
次に、本発明の要部であるシフトノブ１６の構成について説明する。
図２に示されるように、シフトノブ１６は、操作者に把持される把持部１６Ａと、把持部１６Ａの下側に配置されたキャップ７０と、を含んで構成されている。把持部１６Ａは、所謂ガングリップ形状に形成されている。具体的には、把持部１６Ａは、上端部が略半球状を成す略円柱状に形成されており、平面視で把持部１６Ａの外形が下側へ向かうに従い小さくなるように形成されている。図３〜図５に示されるように、把持部１６Ａは、ノブ本体３０と、表示ユニット４０と、「表皮」としてのセンタ表皮５０と、左右一対の「表皮」としてのサイド表皮５２Ｌ、５２Ｒと、左右一対の「取付部材」及び「加飾部材」としてのリングプレート６０Ｌ、６０Ｒと、を含んで構成されている。
【００２０】
＜ノブ本体について＞
ノブ本体３０は、シフトノブ１６の骨格を構成すると共に、ロッド１４の上端部に固定されている。図３に示されるように、ノブ本体３０は、左右方向（幅方向）において３分割されている。具体的には、ノブ本体３０は、ノブ本体３０の幅方向中央部を構成するセンタノブ本体３２と、ノブ本体３０の左右両側部分を構成する左右一対のサイドノブ本体３４Ｌ、３４Ｒと、を含んで構成されている。
【００２１】
［センタノブ本体について］
図４及び図５にも示されるように、センタノブ本体３２は、左右方向を厚み方向とした略Ｔ字形ブロック状に形成されている。具体的には、センタノブ本体３２の下端部に芯部３２ａが形成されており、芯部３２ａは、センタノブ本体３２の把持部１６Ａを構成する部分の前後方向中間部から下側へ延出されている。この芯部３２ａの略中央部には、下側へ開放された固定孔（図示省略）が形成されている。そして、固定孔内にロッド１４の上端部が下側から挿入されて、センタノブ本体３２がロッド１４に固定されている。
【００２２】
センタノブ本体３２の上端部には、後述する表示ユニット４０を収容するための収容部３２ｂが形成されている。収容部３２ｂは、上側へ開放された凹状を成すと共に、平面視で前後方向を長手方向とする略トラック状に形成されている。
【００２３】
次に、センタノブ本体３２の側部について説明するが、センタノブ本体３２の側部は、センタノブ本体３２の幅方向において左右対称に構成されている。このため、以下、センタノブ本体３２の右側部について説明し、センタノブ本体３２の左側部の説明については省略する。
【００２４】
センタノブ本体３２の右側部における上側部分には、第１位置決めリブ３２ｃが一体に形成されている。第１位置決めリブ３２ｃは、前後方向に延在された略直方体ブロック状に形成されて、センタノブ本体３２から右側へ突出されている。第１位置決めリブ３２ｃの前側部分には、第２位置決めリブ３２ｄが一体に形成されている。第２位置決めリブ３２ｄは、略直方体ブロック状に形成されて、第１位置決めリブ３２ｃから上側へ延出されている。
【００２５】
また、センタノブ本体３２の右側部における下側部分には、略前後方向中央の位置において、第３位置決めリブ３２ｅが一体に形成されている。第３位置決めリブ３２ｅは、上下方向に延在された略直方体ブロック状に形成されて、センタノブ本体３２から右側へ突出されており、第３位置決めリブ３２ｅの下端部が芯部３２ａまで延びている。
【００２６】
また、第３位置決めリブ３２ｅの下面には、後述するキャップ７０を組付けるための係止片３２ｆが一体に形成されている。係止片３２ｆは、左右方向を板厚方向として第３位置決めリブ３２ｅから下側へ延出されている。
【００２７】
また、センタノブ本体３２には、前後一対の挿通孔３２ｇが左右方向に貫通形成されており、挿通孔３２ｇは、上下方向を長手方向とする略矩形状に形成されている。また、挿通孔３２ｇの側面には、後述するサイドノブ本体３４Ｒを組み付けるための係合フック３２ｈが形成されている。
【００２８】
［サイドノブ本体について］
左右一対のサイドノブ本体３４Ｌ、３４Ｒは、シフトノブ１６の幅方向において左右対称に構成されている。このため、以下、右側のサイドノブ本体３４Ｒについて説明し、左側のサイドノブ本体３２Ｌの説明については省略する。
【００２９】
サイドノブ本体３４Ｒは、左右方向を板厚方向とした略プレート状に形成されて、センタノブ本体３２の右側に配置されている。また、サイドノブ本体３４Ｒは、ノブ本体３０の幅方向外側部分を構成しているため、サイドノブ本体３４Ｒは、左側及び下側へ開放された凹状に湾曲されている。これにより、サイドノブ本体３４Ｒの外周端面３４ａが、側面視で下側へ開放された略Ｕ字形状に形成されて、センタノブ本体３２の右側面と左右方向に対向して配置されている。
【００３０】
サイドノブ本体３４Ｒには、外周端面３４ａに対して内側の位置において、サイドノブ本体３４Ｒから左側へ突出された取付部３４ｂが一体に形成されている。取付部３４ｂの外形は、側面視で、サイドノブ本体３４Ｒの外形と略相似形状を成しており、取付部３４ｂには、所定の肉逃げが形成されている。
【００３１】
また、サイドノブ本体３４Ｒには、前述したセンタノブ本体３２の挿通孔３２ｇに対応する位置において、前後一対の係合片３４ｃが一体に形成されている。係合片３４ｃは、前後方向を板厚方向とした略矩形板状に形成されて、サイドノブ本体３４Ｒから左側へ突出されている。係合片３４ｃの先端部には、略矩形状の係合孔３４ｄが貫通形成されている。そして、係合片３４ｃがセンタノブ本体３２の挿通孔３２ｇ内に挿入されて、センタノブ本体３２の係合フック３２ｈが、係合孔３４ｄの内周面に係合されている。これにより、サイドノブ本体３４Ｒの右側（幅方向外側）への移動が制限された状態で、サイドノブ本体３４Ｒが、センタノブ本体３２に組付けられている。
【００３２】
なお、サイドノブ本体３４Ｒがセンタノブ本体３２に組付けられた状態では、取付部３４ｂの先端がセンタノブ本体３２の右側部に当接されている。このため、サイドノブ本体３４Ｒの左側（幅方向中央側）へ移動が制限される共に、サイドノブ本体３４Ｒがセンタノブ本体３２に対して右側に離間して配置されている。すなわち、ノブ本体３０には、サイドノブ本体３４Ｒとセンタノブ本体３２との間において、ノブ本体３０の外側（詳しくは、上側及び前後側）へ開放された「凹部」としての溝部３０ａ（図３参照）が形成されており、溝部３０ａはノブ本体３０の下端部を除く外周部に沿って延在されている。
【００３３】
取付部３４ｂの上部には、前述したセンタノブ本体３２の第１位置決めリブ３２ｃに対応する位置において、第１嵌合凹部３４ｅが形成されると共に、第２位置決めリブ３２ｄに対応する位置において、第２嵌合凹部３４ｆが形成されている。また、取付部３４ｂの下部には、前述したセンタノブ本体３２の第３位置決めリブ３２ｅの上部に対応する位置において、第３嵌合凹部３４ｇが形成されている。そして、サイドノブ本体３４Ｒがセンタノブ本体３２に組付けられた状態では、第１〜第３位置決めリブ３２ｃ〜３２ｅが、第１〜第３嵌合凹部３４ｅ〜３４ｇ内にそれぞれ嵌め込まれている。これにより、前後方向及び上下方向における、サイドノブ本体３４Ｒのセンタノブ本体３２に対する相対移動が制限されている。
【００３４】
また、取付部３４ｂの外周部には、後述するリングプレート６０Ｒを保持するための複数（本実施の形態では、４箇所）の第１〜第４保持凹部３４ｈ〜３４ｋが形成されており、第１〜第４保持凹部３４ｈ〜３４ｋは、側面視で、取付部３４ｂの外側へ開放された凹状に形成されている。また、第１保持凹部３４ｈと第３保持凹部３４ｊとは前後方向に離間して配置されており、第２保持凹部３４ｉと第４保持凹部３４ｋは、第１保持凹部３４ｈ及び第３保持凹部３４ｊの間の位置において、上下方向に離間して配置されている。
【００３５】
また、取付部３４ｂの下部には、左側へ開放された収容溝３４ｍが形成されている。この収容溝３４ｍは、側面視で前側へ向かうに従い上側へ傾斜して配置されると共に、前後方向に貫通されている。
【００３６】
また、図１に示されるように、サイドノブ本体３４Ｒの外表面における外周縁部（端部）には、傾斜面３４ｎが形成されている。この傾斜面３４ｎは、溝部３０ａの延在方向から見た断面視で、ノブ本体３０の外側（溝部３０ａの開口側）へ向かうに従い右側（ノブ本体３０の幅方向外側）へ傾斜しており、サイドノブ本体３４Ｒの外周端面３４ａに滑らかに接続されている。
【００３７】
＜表示ユニットについて＞
図６に示されるように、表示ユニット４０は、基板４２と、ハウジング４４と、レンズ４６と、表示プレート４８と、を含んで構成されている。
基板４２は、センタノブ本体３２の収容部３２ｂに対応して、上下方向を板厚方向とした略トラック形板状に形成されて、収容部３２ｂ内に収容されている。基板４２の上面には、光源としてのＬＥＤ４１が設けられている（実装されている）。また、基板４２には、シフトレバー装置１０の制御部（図示省略）に接続されたハーネス（図示省略）の一端部が接続されており、ＬＥＤ４１が当該制御部によって発光される構成になっている。
【００３８】
ハウジング４４は、センタノブ本体３２の収容部３２ｂに対応して、略トラック形筒状に形成されて、基板４２の上側において収容部３２ｂ内に収容されている。そして、ハウジング４４が、基板４２と共にネジ（図示省略）によってセンタノブ本体３２に固定されている。
【００３９】
レンズ４６は、透光性を有する部材で構成されている。レンズ４６は、ハウジング４４の内部に配置されて、基板４２（ＬＥＤ４１）の上側に配置されている。これにより、ＬＥＤ４１によって発光された光が、レンズ４６を透過して、上方側へ照射されるようになっている。
【００４０】
表示プレート４８は、透光性を有する部材で構成されている。この表示プレート４８は、上下方向を板厚方向とした板状に形成されると共に、平面視で前後方向を長手方向とする略トラック状に形成されている。また、表示プレート４８は、シフトノブ１６の把持部１６Ａの上端部を構成している。このため、表示プレート４８は、その略中央部が上側へ凸となるように湾曲されて、センタノブ本体３２の収容部３２ｂを閉塞するようにハウジング４４に両面テープ等によって固定されている。
【００４１】
＜センタ表皮について＞
図４〜図６に示されるように、センタ表皮５０は、合成皮革や天然皮革等の皮革によって構成されている。センタ表皮５０は、センタノブ本体３２の外側に配置されて、センタノブ本体３２の外表面を上側且つ前後側から被覆している。すなわち、センタ表皮５０は、側面視で下側へ開放された略逆Ｕ字形状に形成されている。センタ表皮５０の左右の外周端部には、左右一対の外周被覆部５０ａが形成されており、外周被覆部５０ａは、センタ表皮５０の内側へ略９０度に折り曲げられて、センタノブ本体３２の外周部を被覆している。具体的には、図１に示されるように、外周被覆部５０ａは、センタノブ本体３２の左右の角部に沿って屈曲された屈曲部５０ａ１と、センタノブ本体３２の左右側面の外周端部を被覆するエンド部５０ａ２と、を含んで構成されている。これにより、外周被覆部５０ａが、センタノブ本体３２の左右の外周端部に巻き付くように折り曲げられて、ノブ本体３０の溝部３０ａにおけるセンタノブ本体３２側の開口部が、外周被覆部５０ａによって被覆されている。
【００４２】
なお、図４及び図５に示されるように、センタ表皮５０の長手方向両端部には、下端側被覆部５０ｂが形成されている。この下端側被覆部５０ｂは、前後方向内側へ略９０度に折り曲げられて、センタノブ本体３２の下端を下側から被覆している。また、下端側被覆部５０ｂは、左右一対の外周被覆部５０ａを連結している。
【００４３】
一方、センタ表皮５０には、センタノブ本体３２の収容部３２ｂと対応する位置において、内側被覆部５０ｃが形成されている。内側被覆部５０ｃは、収容部３２ｂの開口部の形状に対応した略トラック形筒状に形成されて、センタ表皮５０から下側へ延出されている。具体的には、内側被覆部５０ｃは、収容部３２ｂの開口縁部によってセンタ表皮５０の内側へ略９０度に折り曲げられて、センタノブ本体３２の収容部３２ｂの開口部を周方向全周に亘って被覆している。また、図１に示されるように、内側被覆部５０ｃは、収容部３２ｂの開口縁部によって屈曲された屈曲部５０ｃ１と、収容部３２ｂの内側面に隣接して配置されたエンド部５０ｃ２と、を含んで構成されている。これにより、内側被覆部５０ｃが、収容部３２ｂの開口部に巻き付くように折り曲げられている。
【００４４】
また、前述した表示プレート４８は、内側被覆部５０ｃのエンド部５０ｃ２に対して収容部３２ｂの内側に隣接して配置されている。これにより、表示プレート４８が、内側被覆部５０ｃのエンド部５０ｃ２をセンタノブ本体３２とで挟み込む状態で、センタノブ本体３２に組付けられている。
【００４５】
＜サイド表皮について＞
図４及び図５に示されるように、左右一対のサイド表皮５２Ｌ、５２Ｒは、シフトノブ１６の幅方向において左右対称に構成されている。このため、以下、右側のサイド表皮５２Ｒについて説明して、左側のサイド表皮５２Ｌの説明については省略する。
【００４６】
サイド表皮５２Ｒは、センタ表皮５０と同様に、合成皮革や天然皮革等の皮革によって構成されており、サイド表皮５２Ｒの厚みとセンタ表皮５０の厚みとが同じに設定されている。また、サイド表皮５２Ｒは、サイドノブ本体３４Ｒの右側に配置されて、サイドノブ本体３４Ｒの外表面を被覆している。サイド表皮５２Ｒの外周端部には、外周被覆部５２ａが形成されており、外周被覆部５２ａは、サイド表皮５２Ｒの内側へ折り曲げられて、サイドノブ本体３４Ｒの外周端面３４ａを被覆している。具体的には、図１に示されるように、外周被覆部５２ａは、サイドノブ本体３４Ｒの傾斜面３４ｎに沿って屈曲された屈曲部５２ａ１と、サイドノブ本体３４Ｒの外周端面３４ａを被覆するエンド部５２ａ２と、を含んで構成されている。これにより、外周被覆部５２ａが、サイドノブ本体３４Ｒの外周端部に巻き付くように折り曲げられており、ノブ本体３０の溝部３０ａにおけるサイドノブ本体３４Ｒ側の開口部が、外周被覆部５２ａによって被覆されている。
【００４７】
なお、図５に示されるように、サイド表皮５２Ｒの下端部には、下端側被覆部５２ｂが形成されている。この下端側被覆部５２ｂは、左側へ略９０度に折り曲げられて、サイドノブ本体３４Ｒの下端を下側から被覆している。また、下端側被覆部５２ｂは、外周被覆部５２ａの下端部（開放端部）を連結している。
【００４８】
＜リングプレート６０Ｌ、６０Ｒについて＞
図４及び図５に示されるように、左右一対のリングプレート６０Ｌ、６０Ｒは、シフトノブ１６の幅方向において左右対称に構成されている。このため、以下、右側のリングプレート６０Ｒについて説明して、左側のリングプレート６０Ｌの説明については省略する
【００４９】
リングプレート６０Ｒは、左右方向を板厚方向とした枠状に形成されている。具体的には、リングプレート６０Ｒは、側面視で下側へ開放された略逆Ｕ字形状を成すプレート本体部６０ａと、プレート本体部６０ａの下端側の部分を連結する連結プレート部６０ｂと、を含んで構成されている。
【００５０】
プレート本体部６０ａの上端部は、センタノブ本体３２の外周部に対応して、側面視で湾曲して形成されている。また、プレート本体部６０ａの内周部には、前述したサイドノブ本体３４Ｒの第１〜第４保持凹部３４ｈ〜３４ｋに対応する位置において、第１〜第４保持爪部６０ａ１〜６０ａ４が一体に形成されている。この第１〜第４保持爪部６０ａ１〜６０ａ４は、略矩形状に形成されて、プレート本体部６０ａの内側へ突出されている。
【００５１】
そして、リングプレート６０Ｒは、センタノブ本体３２への組付前のサイドノブ本体３４Ｒに保持（固定）されて、サイドノブ本体３４Ｒと共にセンタノブ本体３２に組付けられている。具体的には、リングプレート６０Ｒの内部に、サイドノブ本体３４Ｒの取付部３４ｂが挿入されると共に、第１〜第４保持爪部６０ａ１〜６０ａ４のそれぞれが、第１〜第４保持凹部３４ｈ〜３４ｋ内に嵌入されている。これにより、リングプレート６０Ｒが、サイドノブ本体３４Ｒに保持されている。なお、リングプレート６０Ｒがサイドノブ本体３４Ｒに保持された状態では、第１〜第４保持爪部６０ａ１〜６０ａ４によって、リングプレート６０Ｒの上下方向及び前後方向への移動が制限されている。そして、サイドノブ本体３４Ｒによってリングプレート６０Ｒを保持した状態で、サイドノブ本体３４Ｒをセンタノブ本体３２に組付けることで、リングプレート６０Ｒがノブ本体３０の溝部３０ａ内に配置されている（図６参照）。
【００５２】
また、前述したノブ本体３０の溝部３０ａの溝幅寸法は、リングプレート６０Ｒの板厚と、センタ表皮５０及びサイド表皮５２Ｒの厚みと、を合算した寸法と略一致している。これにより、図１及び図６に示されるように、リングプレート６０Ｒ及びサイドノブ本体３４Ｒがセンタノブ本体３２に組付けられた状態では、ノブ本体３０の溝部３０ａが、センタ表皮５０、リングプレート６０Ｒ、及びサイド表皮５２Ｒによって隙間なく埋められている。換言すると、この状態では、リングプレート６０Ｒが、サイド表皮５２Ｒの外周被覆部５２ａの左側に隣接して配置されて、外周被覆部５２ａのエンド部５２ａ２がリングプレート６０Ｒとサイドノブ本体３４Ｒとによって左右方向に挟み込まれている。また、この状態では、リングプレート６０Ｒが、センタ表皮５０の外周被覆部５０ａの右側に隣接して配置されて、外周被覆部５０ａのエンド部５０ａ２が、リングプレート６０Ｒとセンタノブ本体３２とによって左右方向に挟み込まれている。
【００５３】
一方、連結プレート部６０ｂは、サイドノブ本体３４Ｒの収容溝３４ｍに対応して、側面視で前側へ向かうに従い上側へ傾斜されている。そして、リングプレート６０Ｒのサイドノブ本体３４Ｒへの保持状態では、連結プレート部６０ｂが収容溝３４ｍ内に収容されている。
【００５４】
また、プレート本体部６０ａの外周部は、露出部６０ｃとされており、露出部６０ｃがシフトノブ１６の外部に露出されている。また、リングプレート６０Ｒには、メッキ処理が施されている。このため、リングプレート６０Ｒが、シフトノブ１６を加飾する部品として構成されている。
【００５５】
図１に示されるように、露出部６０ｃの左側部分（センタノブ本体３２側の部分）には、左側へ張り出された「鍔部」としての第１鍔部６０ｄが一体に形成されており、第１鍔部６０ｄは、プレート本体部６０ａの長手方向全体に亘って形成されている。また、第１鍔部６０ｄは、センタ表皮５０の外周被覆部５０ａにおける屈曲部５０ａ１に対してノブ本体３０の外側（詳しくは、溝部３０ａの開放側）に配置されている。このため、センタ表皮５０の外周被覆部５０ａにおける屈曲部５０ａ１の一部が、第１鍔部６０ｄによってノブ本体３０の外側から覆われている。これにより、本発明における「表皮の端部をノブ本体の外側から覆う鍔部」とは、鍔部が表皮の端部の一部を覆う形態も含む。また、第１鍔部６０ｄにおけるセンタ表皮５０の屈曲部５０ａ１に隣接する面は、屈曲部５０ａ１に対応して湾曲しており、第１鍔部６０ｄが屈曲部５０ａ１に密着するように配置されている。
【００５６】
露出部６０ｃの右側部分（サイドノブ本体３４Ｒ側の部分）には、右側へ張り出された「鍔部」としての第２鍔部６０ｅが一体に形成されており、第２鍔部６０ｅは、第１鍔部６０ｄと同様に、プレート本体部６０ａの長手方向全体に亘って形成されている。また、第２鍔部６０ｅは、サイド表皮５２Ｒの外周被覆部５２ａにおける屈曲部５２ａ１に対してノブ本体３０の外側（詳しくは、溝部３０ａの開放側）に配置されている。これにより、サイド表皮５２Ｒの外周被覆部５２ａにおける屈曲部５２ａ１の一部が、第２鍔部６０ｅによってノブ本体３０の外側から覆われている。これにより、上述と同様に、本発明における「表皮の端部をノブ本体の外側から覆う鍔部」とは、鍔部が表皮の端部の一部を覆う形態も含む。
【００５７】
また、第２鍔部６０ｅにおけるサイド表皮５２Ｒの屈曲部５２ａ１に隣接する面は、サイドノブ本体３４Ｒの傾斜面３４ｎと平行を成す傾斜面６０ｆとされており、傾斜面３４ｎと傾斜面６０ｆとによってサイド表皮５２Ｒの屈曲部５２ａ１が挟み込まれている。さらに、第２鍔部６０ｅの右端（先端）が、サイドノブ本体３４Ｒの外周端面３４ａ（溝部３０ａを構成する面）よりも右側に配置されている。すなわち、第２鍔部６０ｅのリングプレート６０Ｒからの突出量が、サイド表皮５２Ｒの厚みよりも大きく設定されている。これにより、サイド表皮５２Ｒの外周被覆部５２ａにおけるエンド部５２ａ２の全体が、第２鍔部６０ｅによってノブ本体３０の外側から覆われている。
【００５８】
なお、第１鍔部６０ｄ及び第２鍔部６０ｅを含む露出部６０ｃの外表面（露出面）は、シフトノブ１６の把持部１６Ａの外表面を構成している。このため、露出部６０ｃの外表面は、溝部３０ａの延在方向から見た断面視で、センタ表皮５０及びサイド表皮５２Ｒの外表面と面一となるように配置されている。
【００５９】
（キャップ７０について）
図２に示されるように、キャップ７０は、シフトノブ１６の下部を構成している。また、図示は省略するが、キャップ７０には、センタノブ本体３２の第３位置決めリブ３２ｅが嵌合される嵌合溝と、センタノブ本体３２の係止片３２ｆの爪部が係合される係合部が形成されている。そして、キャップ７０が下側からセンタノブ本体３２に組み付けられて、センタ表皮５０の下端側被覆部５０ｂ及びサイド表皮５２Ｌ、５２Ｒの下端側被覆部５２ｂの下側に隣接して配置されている。なお、キャップ７０の内部には、ロッド１４が挿通される挿通部（図示省略）が形成されている。
【００６０】
（作用効果）
次に、本実施の形態のシフトノブ１６の作用効果を比較例のシフトノブと比較しつつ説明する。
【００６１】
始めに、比較例のシフトノブの構成について説明する。比較例のシフトノブでは、本実施の形態のシフトノブ１６と比べて、リングプレート６０Ｌ、６０Ｒ以外の部材は同様に構成されている。以下、図７を用いて、比較例のリングプレート６０Ｌ、６０Ｒについて説明する。なお、比較例のシフトノブにおいて、本実施の形態のシフトノブ１６と対応する部材には、同一の符号を付している。
【００６２】
比較例のシフトノブでは、リングプレート６０Ｌ、６０Ｒの露出部６０ｃにおいて、本実施の形態の第１鍔部６０ｄが省略されている。このため、センタ表皮５０の外周被覆部５０ａの全体がシフトノブの外側に露出されている。これにより、リングプレート６０Ｌ、６０Ｒとセンタ表皮５０との境界部には、外周被覆部５０ａの屈曲部５０ａ１によって、シフトノブの内側へ窪む段差部８０が形成される。
【００６３】
また、比較例のシフトノブでは、リングプレート６０Ｌ、６０Ｒの露出部６０ｃにおいて、本実施の形態の第２鍔部６０ｅが省略されている。このため、上記と同様に、サイド表皮５２Ｌ、５２Ｒの外周被覆部５２ａの全体がシフトノブの外側に露出される。これにより、リングプレート６０Ｌ（６０Ｒ）とサイド表皮５２Ｌ（５２Ｒ）との境界部には、外周被覆部５２ａの屈曲部５２ａ１によって、シフトノブの内側へ窪む段差部８２が形成される。
【００６４】
以上により、比較例のシフトノブでは、段差部８０及び段差部８２によって形成された隙間が、リングプレート６０Ｌ、６０Ｒの左右両側において、リングプレート６０Ｌ、６０Ｒの長手方向に沿って形成される。その結果、比較例では、シフトノブの意匠性が低下する虞がある。また、操作者が比較例のシフトノブの把持部を把持したときには、リングプレート６０Ｌ、６０Ｒの左右方向両側の段差部８０、８２内に操作者の手の一部が入り込み、シフトノブの触感性が低下する可能性がある。
【００６５】
これに対して、本実施の形態のシフトノブ１６では、図１に示されるように、リングプレート６０Ｌ、６０Ｒの露出部６０ｃにおいて第１鍔部６０ｄが形成されている。そして、第１鍔部６０ｄが、センタノブ本体３２側へ張り出されて、センタ表皮５０の外周被覆部５０ａにおける屈曲部５０ａ１の一部をシフトノブ１６の外側から覆っている。また、シフトノブ１６では、リングプレート６０Ｌ、６０Ｒの露出部６０ｃにおいて第２鍔部６０ｅが形成されている。そして、第２鍔部６０ｅが、サイドノブ本体３４Ｌ、３４Ｒ側へ張り出されて、サイド表皮５２Ｌ、５２Ｒの外周被覆部５２ａにおける屈曲部５２ａ１の一部をシフトノブ１６の外側から覆っている。
【００６６】
このため、本実施の形態では、段差部８０の一部が第１鍔部６０ｄによって詰められて、左右方向における段差部８０の幅を、上記比較例と比べて小さくすることができる。また、同様に、段差部８２の一部が第２鍔部６０ｅによって詰められて、左右方向における段差部８２の幅を、上記比較例と比べて小さくすることができる。このため、シフトノブ１６の意匠性を向上することができる。
【００６７】
また、上述のように、段差部８０（段差部８２）の一部が第１鍔部６０ｄ（第２鍔部６０ｅ）によって詰められているため、シフトノブ１６におけるリングプレート６０Ｌ、６０Ｒの左右両側の段差部８０、８２の窪み量を、上記比較例と比べて小さくすることができる。このため、シフトノブ１６の把持部１６Ａを操作者が把持したときのシフトノブ１６の触感性の低下を抑制することができる。
以上により、本実施の形態のシフトノブ１６によれば、皮革によって構成されたセンタ表皮５０、及びサイド表皮５２Ｌ、５２Ｒによってノブ本体３０を被覆しても、シフトノブ１６の意匠性及び触感性を向上することができる。
【００６８】
また、上述のように、リングプレート６０Ｌ、６０Ｒに第１鍔部６０ｄを形成することで、センタ表皮５０の外周被覆部５０ａにおける屈曲部５０ａ１の一部が第１鍔部６０ｄによって覆われる。このため、外周被覆部５０ａの屈曲部５０ａ１のセンタノブ本体３２からの浮きを、第１鍔部６０ｄによって抑制することができる。同様に、リングプレート６０Ｌ、６０Ｒに第２鍔部６０ｅを形成することで、サイド表皮５２Ｌ、５２Ｒの外周被覆部５２ａにおける屈曲部５２ａ１の一部が第２鍔部６０ｅによって覆われる。このため、外周被覆部５２ａにおける屈曲部５２ａ１のサイドノブ本体３４Ｌ、３４Ｒの傾斜面３４ｎからの浮きを、第２鍔部６０ｅによって抑制することができる。
【００６９】
また、ノブ本体３０の溝部３０ａにおけるセンタノブ本体３２側の開口端部が、センタ表皮５０の外周被覆部５０ａによって被覆されており、ノブ本体３０の溝部３０ａにおけるサイドノブ本体３４Ｌ（３４Ｒ）側の開口端部が、サイド表皮５２Ｌ（５２Ｒ）の外周被覆部５２ａによって被覆されている。さらに、リングプレート６０Ｌ、６０Ｒがノブ本体３０の溝部３０ａの内部に配置されて、外周被覆部５０ａと外周被覆部５２ａとの間に隣接して配置されている。このため、外周被覆部５０ａのエンド部５０ａ２が、センタノブ本体３２とリングプレート６０Ｌ（６０Ｒ）とによって左右方向に挟み込まれると共に、外周被覆部５２ａのエンド部５２ａ２が、サイドノブ本体３４Ｌ（３４Ｒ）とリングプレート６０Ｌ（６０Ｒ）とによって左右方向に挟み込まれている。これにより、外周被覆部５０ａのエンド部５０ａ２におけるセンタノブ本体３２からの浮き、及び外周被覆部５２ａのエンド部５２ａ２におけるサイドノブ本体３４Ｌ（３４Ｒ）からの浮きを、リングプレート６０Ｌ（６０Ｒ）によって抑制することができる。
【００７０】
また、本実施の形態では、リングプレート６０Ｌ（６０Ｒ）の第２鍔部６０ｅの先端が、サイドノブ本体３４Ｌ、３４Ｒの外周端面３４ａよりもシフトノブ１６の幅方向外側に配置されている。このため、サイド表皮５２Ｌ、５２Ｒのエンド部５２ａ２の全体が第２鍔部６０ｅによってシフトノブ１６の外側から覆われている。その結果、左右方向における段差部８２の幅を、第２鍔部６０ｅによって一層小さくすることができる。これにより、シフトノブ１６の意匠性を一層向上することができると共に、シフトノブ１６の触感性を一層向上することができる。
【００７１】
また、本実施の形態では、リングプレート６０Ｌ（６０Ｒ）がセンタ表皮５０とサイド表皮５２Ｌ（５２Ｒ）との間に配置されている。このため、仮に、リングプレート６０Ｌ、６０Ｒを省略して、センタ表皮５０の外周被覆部５０ａとサイド表皮５２Ｌ（５２Ｒ）の外周被覆部５２ａとを隣接して配置する場合と比べて、センタ表皮５０とサイド表皮５２Ｌ（５２Ｒ）との合わせ部分の段差（隙間）を小さくすることができる。しかも、リングプレート６０Ｌ、６０Ｒの外側面にはメッキ処理が施されており、リングプレート６０Ｌ、６０Ｒがシフトノブ１６を加飾する部品として構成されている。このため、シフトノブ１６をリングプレート６０Ｌ、６０Ｒによって装飾することができる。これにより、シフトノブ１６の差別化を図ることができる。
【００７２】
また、本実施の形態では、ノブ本体３０が、幅方向に３分割されて、センタノブ本体３２と、左右一対のサイドノブ本体３４Ｌ、３４Ｒと、によって構成されている。このため、センタノブ本体３２及びサイドノブ本体３４Ｌ（３４Ｒ）によってリングプレート６０Ｌ（６０Ｒ）を挟み込む構造にすることができる。これにより、リングプレート６０Ｌ、６０Ｒをノブ本体３０に組み付けるときの組付性を向上することができる。
【００７３】
なお、本実施の形態では、リングプレート６０Ｌ、６０Ｒの露出部６０ｃに第１鍔部６０ｄ及び第２鍔部６０ｅを形成したが、これら鍔部を形成する部材は、これに限らない。例えば、表示プレート４８の外周部に鍔部を形成して、センタ表皮５０の内側被覆部５０ｃにおける屈曲部５０ｃ１の一部をシフトノブ１６の外側から覆うように構成してもよい。これにより、表示プレート４８の外周における段差が詰められるため、シフトノブ１６の意匠性及び触感性をより一層向上することができる。なお、この場合には、表示プレート４８が本発明の「取付部材」に対応する。また、この場合には、表示プレート４８の一部を、透光性を有する部材として構成してもよい。
また、ブーツ２２は、センタ表皮５０及びサイド表皮５２Ｌ、５２Ｒと同様に、皮革によって構成されているため、キャップ７０に鍔部を設けて、ブーツ２２とキャップ７０との間の段差を詰めるように構成してもよい。なお、この場合には、ブーツ２２が本発明の「取付部材」に対応する。
【符号の説明】
【００７４】
１０          シフトレバー装置
１２          シフトレバー
１４          ロッド
１６          シフトノブ
１６Ａ        把持部
２０          ハウジング
２２          ブーツ
２４          カバーパネル
２６          リングカバー
３０          ノブ本体
３０ａ        溝部（凹部）
３２          センタノブ本体
３２ａ        芯部
３２ｂ        収容部
３２ｃ        第１位置決めリブ
３２ｄ        第２位置決めリブ
３２ｅ        第３位置決めリブ
３２ｆ        係止片
３２ｇ        挿通孔
３２ｈ        係合フック
３４Ｌ        サイドノブ本体
３４Ｒ        サイドノブ本体
３４ａ        外周端面
３４ｂ        取付部
３４ｃ        係合片
３４ｄ        係合孔
３４ｅ        第１嵌合凹部
３４ｆ        第２嵌合凹部
３４ｇ        第３嵌合凹部
３４ｈ        第１保持凹部
３４ｉ        第２保持凹部
３４ｊ        第３保持凹部
３４ｋ        第４保持凹部
３４ｍ        収容溝
３４ｎ        傾斜面
４０          表示ユニット
４１          ＬＥＤ
４２          基板
４４          ハウジング
４６          レンズ
４８          表示プレート
５０          センタ表皮（表皮）
５０ａ        外周被覆部（表皮の端部）
５０ａ１      屈曲部
５０ａ２      エンド部
５０ｂ        下端側被覆部
５０ｃ        内側被覆部
５０ｃ１      屈曲部
５０ｃ２      エンド部
５２Ｌ        サイド表皮（表皮）
５２Ｒ        サイド表皮（表皮）
５２ａ        外周被覆部（表皮の端部）
５２ａ１      屈曲部
５２ａ２      エンド部
５２ｂ        下端側被覆部
６０Ｌ        リングプレート（取付部材、加飾部材）
６０Ｒ        リングプレート
６０ａ        プレート本体部
６０ａ１      第１保持爪部
６０ａ２      第２保持爪部
６０ａ３      第３保持爪部
６０ａ４      第４保持爪部
６０ｂ        連結プレート部
６０ｃ        露出部
６０ｄ        第１鍔部
６０ｅ        第２鍔部
６０ｆ        傾斜面
７０          キャップ
８０          段差部
８２          段差部
【図１】
2019077214.tif 000003
【図２】
2019077214.tif 000004
【図３】
2019077214.tif 000005
【図４】
2019077214.tif 000006
【図５】
2019077214.tif 000007
【図６】
2019077214.tif 000008
【図７】
2019077214.tif 000009